(57)【要約】【課題】姿勢改善、特に猫背や下腹部の突出の改善をサポートすることが可能な姿勢改善サポート衣類を提供する。【解決手段】本発明の一実施形態に係る姿勢改善サポート衣類は、少なくとも上半身を覆う本体部１０と、本体部１０の緊締力よりも強い緊締力を有する帯状の緊締部２０とを備える姿勢改善サポート衣類であって、緊締部２０は、第７〜第９胸椎のうちの少なくとも何れかから左右下方へ延び、左右の肋骨下部を通り、下腹部中央において連結しており、下腹部中央において、緊締部２０の中心線が臍と恥骨上端との間に位置することを特徴とする。【選択図】図３
2010261118.tif 000002
【特許請求の範囲】
【請求項１】
少なくとも上半身を覆う本体部と、前記本体部の緊締力よりも強い緊締力を有する帯状の緊締部とを備える姿勢改善サポート衣類であって、
前記緊締部は、第７〜第９胸椎のうちの少なくとも何れかから左右下方へ延び、左右の肋骨下部を通り、下腹部中央において連結しており、
前記下腹部中央において、前記緊締部の中心線が臍と恥骨上端との間に位置する、
ことを特徴とする、姿勢改善サポート衣類。
【請求項２】
前記下腹部中央から左右に延び、骨盤における腸骨を通り、腰部において連結する腰部緊締部を更に備えることを特徴とする、
請求項１に記載の姿勢改善サポート衣類。
【請求項３】
前記第７〜第９胸椎のうちの少なくとも何れかから左右上方へ延び、肩甲骨における肩甲棘に沿って延びる肩部緊締部を更に備えることを特徴とする、
請求項１又は２に記載の姿勢改善サポート衣類。
【請求項４】
前記緊締部における前記第７〜第９胸椎を通る部分と前記緊締部における前記下腹部中央を通る部分とのうちの少なくとも何れか一方が、前記緊締部における他の部分に比べてより強い緊締力を有することを特徴とする、
請求項１〜３の何れか１項に記載の姿勢改善サポート衣類。
【請求項５】
前記緊締部における背側部分の幅及び脇側部分の幅は、４ｃｍ以上７ｃｍ以下である、
請求項１に記載の姿勢改善サポート衣類。
【発明の詳細な説明】
【技術分野】
【０００１】
本発明は、姿勢改善のサポートを行う衣類に関するものである。
【背景技術】
【０００２】
非特許文献１〜３には、人体の姿勢や動作を考える際、身体重心点を把握することが重要であることが記載されている。一般に、身体重心点とは身体各部の重量が相互に平衡である点とされ、その位置は基本的立位姿勢では骨盤内の仙骨のやや前方（約第２仙椎）であるとされている。この身体重心点は、姿勢によって変動するものであり、特定が大変であったが、非特許文献１〜３によれば、身体重心点を境に上半身と下半身とに分割した場合に、上半身の質量中心点と下半身の重量中心点との中点によって、身体重心点を容易に特定することができることを証明している。そして、上半身質量中心点は略第７〜第９胸椎、特に第７胸椎に位置し、下半身質量中心点は大腿部の略１／２〜上１／３の間に位置するとしている。
【０００３】
一方、非特許文献４〜６では、人体の上半身のみの姿勢や動作に着目している。これらの非特許文献によれば、上半身質量中心点である第７胸椎を境に上半身を上部と下部とに分割した場合に、歩行時において、上半身の上部と下部とが反対方向に回旋することによって、上半身の中でバランスを維持していることを証明している。すなわち、上半身のみでも、第７胸椎を支点として上半身の中でバランスを維持していることを証明している。
【０００４】
この上半身質量中心点、すなわち第７〜第９胸椎に着目して、上半身の上部に位置する肩関節やその近傍の筋肉、肩関節近傍の上肢部の筋肉の障害などの予防や治療の促進を行う発明が、特許文献１に開示されている。この特許文献１に記載の肩及び上肢部保護衣料では、少なくとも上半身部を有する伸縮性布地からなるベースの衣料に部分的に緊締力の強い強緊締力部を有しており、この強緊締力部は、衣料後部において、肩峰よりやや後中心側寄りで人体の僧帽筋上部の肩峰側の端近傍部分から肩甲骨内上角近傍を通り、第７〜第９胸椎の何れかの近傍を通って逆の脇側の肋骨下部近傍に至るように設けられている。
【先行技術文献】
【特許文献】
【０００５】
【特許文献１】特許第３１１５８１６号明細書
【非特許文献】
【０００６】
【非特許文献１】佐藤祐子、他３名、「姿勢・動作分析における身体重心点の視覚的評価」、理学療法学、第２３巻、学会特別号（第３１回愛知）、１９９６年、ｐ．１７６
【非特許文献２】佐藤祐子、他３名、「姿勢・動作分析における身体重心点の視覚的評価−第２報−」、理学療法学、第２５巻、学会特別号（第３３回京都）、１９９８年、ｐ．１５８
【非特許文献３】久保祐子、他３名、「姿勢・動作分析における身体重心点の視覚的評価の検討」、理学療法学、第３３巻、第３号、２００６年、ｐ．１１２−１１７
【非特許文献４】久保祐子、他３名、「上半身質量中心点より観察した歩行時における上半身の動き」、理学療法学、第２８巻、２００１年、ｐ．１７７
【非特許文献５】久保祐子、他３名、「上半身質量中心点より観察した歩行時における上半身の動き（第２報）」、理学療法学、第２９巻、２００２年、ｐ．１６１
【非特許文献６】久保祐子、他３名、「上半身質量中心点より観察した歩行時における上半身の動き（第３報）」、理学療法学、第３０巻、２００３年、ｐ．１５２
【発明の概要】
【発明が解決しようとする課題】
【０００７】
ところで、衣類を身に着けるだけで、上半身の上部だけでなく、上半身の下部、すなわち第７〜第９胸椎より下部のサポートを行うことが要望されている。具体的には、猫背や下腹部の突出などの姿勢改善のサポートの要望がある。
【０００８】
そこで、本発明は、姿勢改善、特に猫背や下腹部の突出の改善をサポートすることが可能な姿勢改善サポート衣類を提供することを目的としている。
【課題を解決するための手段】
【０００９】
本願発明者らは、猫背や下腹部の突出などの姿勢改善のサポートを行うにあたり、上半身質量中心点である第７〜第９胸椎、すなわち、歩行などの動作中に上半身の上部及び下部の回旋の支点となり、位置変動が小さい第７〜第９胸椎を利用することに着目した。
【００１０】
そこで、本発明の姿勢改善サポート衣類は、少なくとも上半身を覆う本体部と、本体部の緊締力よりも強い緊締力を有する帯状の緊締部とを備える姿勢改善サポート衣類であって、緊締部は、第７〜第９胸椎のうちの少なくとも何れかから左右下方へ延び、左右の肋骨下部を通り、下腹部中央において連結しており、下腹部中央において、緊締部の中心線が臍と恥骨上端との間に位置する、ことを特徴とする。
【００１１】
姿勢が悪くなる原因としては、主に以下の２点が考えられる。第一に、脊柱起立筋群が弱くなり、胸椎が後湾してしまうことにより、猫背になってしまう。第二に、腹筋群が弱くなって腹圧が低くなり、腰椎が前湾してしまうことにより、下腹部が突出してしまう。
【００１２】
本発明によれば、緊締部によって第７〜第９胸椎と下腹部中央とを引き合うので、脊柱起立筋群と腹筋群とを同時にサポートすると共に、脊柱起立筋群と腹筋群とに同時に働きかけて収縮を促すように作用する。特に、腹筋群に働きかけて腹圧を高めることができる。その結果、胸椎の後湾及び腰椎の前湾を軽減し、背筋を伸ばすことができると共に下腹部を引き締めることができる。
【００１３】
また、歩行などの動作中に上半身の上部及び下部の回旋の支点となり、位置変動が小さい第７〜第９胸椎を支点としているので、歩行などの動作中でも、脊柱起立筋群と腹筋群とに対するサポート及び働きかけを安定して行うことができる。
【００１４】
上記した姿勢改善サポート衣類は、下腹部中央から左右に延び、骨盤における腸骨を通り、腰部において連結する腰部緊締部を更に備えることが好ましい。
【００１５】
これによれば、腰部緊締部によって下腹部の腹圧をより高めることができる。また、腰部緊締部によって下腹部から腰部を周回してサポートするので、腹圧の上昇によって骨盤の位置を安定させることができる。更には、腰部緊締部が下腹部から腰部を周回してサポートすることにより、歩行などの動作に起因する骨盤の左右前後の位置ずれを軽減することができ、骨盤の位置をより安定させることができる。
【００１６】
上記した姿勢改善サポート衣類は、第７〜第９胸椎のうちの少なくとも何れかから左右上方へ延び、肩甲骨における肩甲棘に沿って延びる肩部緊締部を更に備えることが好ましい。
【００１７】
これによれば、肩部緊締部によって肩甲骨の肩甲棘に沿ってサポートすることにより、肩を開くように、すなわち、胸を張るように、肩甲骨を内転することができる。したがって、姿勢改善をよりサポートすることができる。
【００１８】
上記した緊締部における第７〜第９胸椎を通る部分と緊締部における下腹部中央を通る部分とのうちの少なくとも何れか一方が、緊締部における他の部分に比べてより強い緊締力を有することが好ましい。
【００１９】
上記したように、猫背や下腹部の突出等の姿勢改善のためには、上半身質量中心点である第７〜第９胸椎と、腹部において最も突出する部分である下腹部中央付近とを起点として引き合うことが合理的である。これによれば、緊締部において、引き合うための力が最も加わる第７〜第９胸椎部分と下腹部中央部分との緊締力が他の部分より強いので、第７〜第９胸椎と下腹部中央とを相互に引き合う際に安定感を得ることができる。
【００２０】
上記した緊締部における背側部分の幅及び脇側部分の幅は、４ｃｍ以上７ｃｍ以下である。
【発明の効果】
【００２１】
本発明によれば、姿勢改善、特に猫背や下腹部の突出の改善をサポートすることができる。
【図面の簡単な説明】
【００２２】
【図１】本発明の実施形態に係る姿勢改善サポート衣類を前側から示す斜視図である。
【図２】本発明の実施形態に係る姿勢改善サポート衣類を背側から示す図である。
【図３】本発明の実施形態に係る姿勢改善サポート衣類を脇側から示す図である。
【図４】人体の骨格構造を前側から示す図である。
【図５】人体の骨格構造を背側から示す図である。
【図６】人体の骨格構造を脇側から示す図である。
【図７】人体の脊柱起立筋群構造を示す図である。
【図８】人体の腹筋群構造を示す図である。
【図９】本実施形態の姿勢改善サポート衣類の有無における人体の脊椎状態を脇側から示す図である。
【図１０】本発明の変形例に係る姿勢改善サポート衣類を前側及び背側から示す図である。
【図１１】本発明の変形例に係る姿勢改善サポート衣類を前側及び背側から示す図である。
【図１２】本発明の変形例に係る姿勢改善サポート衣類を前側及び背側から示す図である。
【発明を実施するための形態】
【００２３】
以下、図面を参照して本発明の好適な実施形態について詳細に説明する。なお、各図面において同一又は相当の部分に対しては同一の符号を附すこととする。
【００２４】
図１は、本発明の実施形態に係る姿勢改善サポート衣類を前側から示す斜視図であり、図２は、本発明の実施形態に係る姿勢改善サポート衣類を背側から示す図である。また、図３は、本発明の実施形態に係る姿勢改善サポート衣類を脇側から示す図である。図１〜３に示す姿勢改善サポート衣類１は、本体部１０と、メイン緊締部２０と、腰部緊締部３０と、肩部緊締部４０とを備えている。
【００２５】
本体部１０は、着用者の上半身及び下腹部を覆うノースリーブ型の衣類である。本体部１０は、伸縮性を有する生地からなっており、着用者に対して密着性を有している。本体部１０には、メイン緊締部２０と、腰部緊締部３０と、肩部緊締部４０とが部分的に設けられている。
【００２６】
次に、図４〜６に示す人体の骨格構造の前側図、背側図、及び、脇側図と、図７に示す人体の脊柱起立筋群構造図と、図８に示す人体の腹筋群構造図とを適宜参照しながら、メイン緊締部２０、腰部緊締部３０、及び、肩部緊締部４０について説明する。
【００２７】
メイン緊締部２０、腰部緊締部３０、及び、肩部緊締部４０は、それぞれ、本体部１０の緊締力よりも強い緊締力を有する帯状をなしている。メイン緊締部２０、腰部緊締部３０、及び、肩部緊締部４０には、パワーネット等の高い伸縮性を有する生地が適用可能である。メイン緊締部２０は、幅方向の側部２１，２２において本体部１０に縫着されている。同様に、腰部緊締部３０も、幅方向の側部３１，３２において本体部１０に縫着されており、肩部緊締部４０も、幅方向の側部４１，４２及び長手方向の端部４３において、本体部１０に縫着されている。
【００２８】
メイン緊締部２０は、着用状態において、着用者の背側における胸椎中央、すなわち、図４〜６に示す第７〜第９胸椎５１〜５３のうちの少なくとも何れかから左右下方へ逆Ｖ字状に延びている。そして、メイン緊締部２０は、着用状態において、着用者の脇側における左右の肋骨下部、すなわち、仮肋（第８〜第１２肋骨）６１〜６５又は浮遊肋（第１１及び第１２肋骨）６４，６５のうちの少なくとも何れかであって、着用者の前側に位置する先端部に沿って、着用者の前側下方へ延びている。次いで、メイン緊締部２０は、着用状態において、着用者の前側における下腹部中央、すなわち、臍７０付近から骨盤７１における恥骨上端７２付近で連結している。この下腹部中央には、メイン緊締部２０の幅方向（すなわち、上下方向）の中心線が臍７０と恥骨上端７２との間に位置するように、メイン緊締部２０が位置している。なお、メイン緊締部２０は、その一部が臍７０や恥骨上端７２を覆っていてもよい。
【００２９】
このようにして、メイン緊締部２０は、第７〜第９胸椎５１〜５３を支点として、第７〜第９胸椎５１〜５３と下腹部中央とを引き合うように作用する。その結果、メイン緊締部２０は、図７（ａ）に示す腸肋筋群、図７（ｂ）に示す最長筋群、及び、図７（ｃ）に示す棘筋群９７〜９９からなる脊柱起立筋群、すなわち、頚腸肋筋９１、胸腸肋筋９２、腰腸肋筋９３、頭最長筋９４、頚最長筋９５、胸最長筋９６、頭棘筋９７（図示略）、頚棘筋９８、及び、胸棘筋９９からなる脊柱起立筋群をサポートすると共に、これらの脊柱起立筋群に働きかけて収縮を促すように作用する。
【００３０】
また、メイン緊締部２０は、図８（ａ）に示す仮肋６１〜６５又は浮遊肋６４，６５の先端部から下腹部中央へ向けて延びる外腹斜筋１０１、図８（ｂ）に示す外腹斜筋１０１の内部に位置する内腹斜筋１０２、及び、図８（ｃ）に示す内腹斜筋１０２の内部に位置する腹横筋１０３からなる腹筋群をサポートすると共に、これらの腹筋群に働きかけて収縮を促すように作用する。特に、仮肋６１〜６５又は浮遊肋６４，６５の先端部から下腹部中央へ向けて延びる外腹斜筋１０１に対しては、その筋繊維に沿ってメイン緊締部２０が位置している。筋肉は筋線維方向に収縮するので、メイン緊締部２０は外腹斜筋１０１に対してより強く働きかけることとなる。
【００３１】
次に、腰部緊締部３０は、着用状態において、着用者の前側における下腹部中央、すなわち、臍７０〜骨盤７１における恥骨上端７２付近から左右へ延びている。そして、腰部緊締部３０は、着用状態において、着用者の脇側における骨盤７１の腸骨７３の腸骨稜７４の外唇側部７６を通って、着用者の背側へ延びている。次いで、腰部緊締部３０は、着用状態において、着用者の背側における腰部、すなわち、骨盤７１における腸骨７３の上部付近において連結している。
【００３２】
このようにして、腰部緊締部３０は、図８に示す腹筋群をよりサポートすると共に、これらの腹筋群により働きかけて収縮を促すように作用する。また、腰部緊締部３０は、下腹部から腰部を周回してサポートし、骨盤７１の位置を安定させるように作用する。
【００３３】
次に、肩部緊締部４０は、着用状態において、着用者の背側における胸椎中央、すなわち、図４〜６に示す第７〜第９胸椎５１〜５３のうちの少なくとも何れかから左右上方へ延びている。そして、肩部緊締部４０は、着用状態において、肩甲骨８１における肩甲棘８２の長手方向に沿って延びている。すなわち、略左右方向に沿って伸びる肩甲棘８２に沿って左右方向に延びている。
【００３４】
このようにして、肩部緊締部４０は、肩を開くように、すなわち、胸を張るように、肩甲骨８１を内転するように作用する。
【００３５】
ここで、メイン緊締部２０のうちの背側部分２０ｂの幅Ｗ２０ｂ及び脇側部分２０ｓの幅Ｗ２０ｓは、略４ｃｍ以上略７ｃｍ以下であればよく、略４ｃｍ以上略６ｃｍ以下であることが好ましい。そして、この背側部分２０ｂの幅Ｗ２０ｂ及び脇側部分２０ｓの幅Ｗ２０ｓは、略５ｃｍであることが最も好ましい。その根拠については、後述する実施例において説明する。一方、メイン緊締部２０のうちの前側中央部分２０ｆｃの幅Ｗ２０ｆｃは、略７ｃｍ以上略１４ｃｍ以下であることが好ましい。例えば、前側中央部分２０ｆｃの幅Ｗ２０ｆｃは、女性用では略８ｃｍであることが最も好ましく、男性用では略１４ｃｍであることが最も好ましい。これによれば、下腹部全体において、腹筋群をサポートすると共に、これらの腹筋群に働きかけて収縮を促すように作用することができる。なお、メイン緊締部２０のうちの前側脇部分２０ｆｓの幅Ｗ２０ｆｓは、脇側部分２０ｓから前側中央部分２０ｆｃへ向けて次第広くなっている。ここで、メイン緊締部２０の幅Ｗ２０ｂ，Ｗ２０ｓ，Ｗ２０ｆｃ，Ｗ２０ｆｓとは、メイン緊締部２０の側辺に対して略垂直な直線に沿う側辺間距離である。
【００３６】
一方、腰部緊締部３０のうちの下腹部分３０ｆの幅Ｗ３０ｆ及び脇側部分３０ｓの幅Ｗ３０ｓは、略７ｃｍ以上略１４ｃｍ以下であることが好ましい。例えば、下腹部分３０ｆの幅Ｗ３０ｆ及び脇側部分３０ｓの幅Ｗ３０ｓは、女性用では略８ｃｍであることが最も好ましく、男性用では略１４ｃｍであることが最も好ましい。また、腰部緊締部３０のうちの腰側中央部分３０ｂｃの幅Ｗ３０ｂｃは、略５ｃｍ以上、略６ｃｍであることが好ましい。例えば、腰側中央部分３０ｂｃの幅Ｗ３０ｂｃは、女性用では略６ｃｍであることが最も好ましく、男性用では略９ｃｍであることが最も好ましい。なお、腰部緊締部３０のうちの腰側脇部分３０ｂｓの幅Ｗ３０ｂｓは、腰側中央部分３０ｂｃから脇側部分３０ｓへ向けて次第広くなっている。これによれば、骨盤７１、すなわち下腹部及び腰部をしっかりサポートすることができる。ここで、腰部緊締部３０の幅Ｗ３０ｆ，Ｗ３０ｓ，Ｗ３０ｂｃ，Ｗ３０ｂｓとは、腰部緊締部３０の側辺に対して略垂直な直線に沿う側辺間距離である。
【００３７】
本実施形態では、腰部緊締部３０の下腹部分３０ｆの中央部分は、メイン緊締部２０における前側中央部分２０ｆｃ及び前側脇部分２０ｆｓと重なって本体部１０に縫着されている。なお、腰部緊締部３０は、１枚の生地によってメイン緊締部２０と一体的に形成されていてもよい。
【００３８】
また、肩部緊締部４０の幅Ｗ４０は、メイン緊締部２０における背側部分２０ｂの幅Ｗ２０ｂ及び脇側部分２０ｓの幅Ｗ２０ｓと同一であればよい。これによれば、メイン緊締部２０と肩部緊締部４０とを１枚の生地によって一体的に形成することができる。ここで、肩部緊締部４０の幅Ｗ４０とは、肩部緊締部４０の側辺に対して略垂直な直線に沿う側辺間距離である。
【００３９】
また、本実施形態では、第７〜第９胸椎５１〜５３から左右下方へ延びるメイン緊締部２０が、第７〜第９胸椎５１〜５３における部分２５において重なり合って縫着されている。また、上記したように、メイン緊締部２０の前側中央部分２０ｆｃ及び前側脇部分２０ｆｓと腰部緊締部３０の下腹部分３０ｆの中央部分とが、下腹部中央における部分２６において重なり合って縫着されている。これにより、第７〜第９胸椎５１〜５３を通る部分２５と下腹部中央を通る部分２６との緊締力が、メイン緊締部２０、腰部緊締部３０、及び、肩部緊締部４０における他の部分に比べてより強くなっている。なお、第７〜第９胸椎５１〜５３を通る部分２５と下腹部中央を通る部分２６との緊締力を強くするためには、メイン緊締部２０、腰部緊締部３０、及び、肩部緊締部４０において、第７〜第９胸椎５１〜５３を通る部分と下腹部中央を通る部分との生地の伸縮性を、他の部分の生地の伸縮性と異ならせてもよい。
【００４０】
ところで、姿勢の悪い人の特徴としては、以下の点が考えられる。
・首の前傾
・猫背（背中の丸まり）
・おなかの突き出し
そして、その原因としては、以下の点が考えられる。
・腹筋群（外腹斜筋、内腹斜筋、腹横筋）が弱く、
・腹圧も低くなり、
・隔膜が下がり、
・背骨をしっかり支えられない。
その結果、図９（ａ）に示すように、
・腰椎１１１が前湾し、
・胸椎１１２が後湾する、
こととなる。
【００４１】
本実施形態の姿勢改善サポート衣類１によれば、メイン緊締部２０によって第７〜第９胸椎５１〜５３と下腹部中央とを引き合うので、脊柱起立筋群と腹筋群とを同時にサポートすると共に、脊柱起立筋群と腹筋群とに同時に働きかけて収縮を促すように作用する。特に、腹筋群に働きかけて腹圧を高めることができる。その結果、図９（ｂ）に示すように、腰椎１１１の前湾及び胸椎１１２の後湾を軽減し、胸郭を開き、背筋を伸ばすことができると共に下腹部を引き締めることができる。
【００４２】
また、歩行などの動作中に上半身の上部及び下部の回旋の支点となり、位置変動が小さい第７〜第９胸椎を支点としているので、歩行などの動作中でも、脊柱起立筋群と腹筋群とに対するサポート及び働きかけを安定して行うことができる。また、位置変動が小さい第７〜第９胸椎を支点として、正しい姿勢に戻ろうとする安定効果が得られる。
【００４３】
更に、本実施形態の姿勢改善サポート衣類１によれば、腰部緊締部３０によって下腹部の腹圧をより高めることができる。また、腰部緊締部３０によって下腹部から腰部を周回してサポートするので、腹圧の上昇によって骨盤７１の位置を安定させることができる。更には、腰部緊締部３０が下腹部から腰部を周回してサポートすることにより、歩行などの動作に起因する骨盤７１の左右前後の位置ずれを軽減することができ、骨盤７１の位置をより安定させることができる。その結果、バランスよく姿勢を維持することができる。
【００４４】
更に、本実施形態の姿勢改善サポート衣類１によれば、肩部緊締部４０によって肩甲骨８１の肩甲棘８２に沿ってサポートすることにより、肩を開くように、すなわち、胸を張るように、肩甲骨８１を内転することができる。したがって、姿勢改善をよりサポートすることができる。
【００４５】
ここで、上記したように、猫背や下腹部の突出等の姿勢改善のためには、上半身質量中心点である第７〜第９胸椎５１〜５３と、腹部において最も突出する部分である下腹部中央付近とを起点として引き合うことが合理的である。本実施形態の姿勢改善サポート衣類１によれば、第７〜第９胸椎５１〜５３を通る部分２５と下腹部中央を通る部分２６との緊締力が、メイン緊締部２０、腰部緊締部３０、及び、肩部緊締部４０における他の部分に比べてより強くなっているので、すなわち、引き合うための力が最も加わる第７〜第９胸椎部分２５と下腹部中央部分２６との緊締力が他の部分に比べてより強いので、第７〜第９胸椎５１〜５３と下腹部中央とを相互に引き合う際に安定効果を得ることができる。
【００４６】
なお、本発明は上記した本実施形態に限定されることなく種々の変形が可能である。例えば、メイン緊締部２０、腰部緊締部３０、及び、肩部緊締部４０を備える姿勢改善サポート衣類１を例示したが、姿勢改善サポート衣類は、少なくともメイン緊締部２０を備えてさえいれば、背筋を伸ばし、下腹部を引き締める姿勢改善効果が得られる。
【００４７】
すなわち、姿勢改善サポート衣類は、図１０に示す変形例１の姿勢改善サポート衣類１Ａのように、メイン緊締部２０のみを備える形態であってもよいし、図１１に示す変形例２の姿勢改善サポート衣類１Ｂのように、メイン緊締部２０と腰部緊締部３０とを備える形態であってもよいし、図１２に示す変形例３の姿勢改善サポート衣類１Ｃのように、メイン緊締部２０と肩部緊締部４０とを備える形態であってもよい。なお、図１０〜１２では、それぞれ、（ａ）に姿勢改善サポート衣類を前側からみた斜視図を示し、（ｂ）に姿勢改善サポート衣類を背側からみた図を示している。
【００４８】
また、本実施形態では、メイン緊締部２０、腰部緊締部３０、及び、肩部緊締部４０として、高伸縮性素材の縫着（当て布）を例示したが、高伸縮性素材をボンディング等によって接着してもよい。また、メイン緊締部２０、腰部緊締部３０、及び、肩部緊締部４０は、本体部１０を形成する際に、編み組織（縦編みや丸編み等）を変化させることによって形成してもよい。メイン緊締部２０、腰部緊締部３０、及び、肩部緊締部４０は、オパール加工や、樹脂プリント、特殊加工プリントなどによって形成してもよい。このように、メイン緊締部２０、腰部緊締部３０、及び、肩部緊締部４０の形成において、編み組織（縦編みや丸編み等）の変化、オパール加工、プリントなどを用いると、その境界が区別できないほどに一体的に形成することが可能となる。
【００４９】
また、本実施形態では、ノースリーブ型の姿勢改善サポート衣類を例示したが、姿勢改善サポート衣類における本体部は、半袖や長袖などの袖を有するものであってもよいし、股部分や足部分を有するボディスーツ型であってもよい。
[実施例１〜３]
【００５０】
図１〜３に示す本発明の実施形態の姿勢改善サポート衣類１を実施例１〜３として製作し、女性モニタ４名による評価を行った。実施例１〜３では、メイン緊締部２０における背側部分、及び、肩部緊締部４０の幅を代えて対比評価を行った。なお、下腹部及び腰部のサポートのためにはある程度の幅が必要なため、メイン緊締部２０における前側中央部分２０ｆｃの幅、及び、腰部緊締部３０の幅は下記の通り固定とした。
（メイン緊締部２０における前側中央部分２０ｆｃの幅Ｗ２０ｆｃ）
実施例１〜３：約８ｃｍ
（腰部緊締部３０における下腹部分３０ｆの幅Ｗ３０ｆ及び脇側部分３０ｓの幅Ｗ３０ｓ）
実施例１〜３：約８ｃｍ
（腰部緊締部３０における腰側中央部分３０ｂｃの幅Ｗ３０ｂｃ）
実施例１〜３：約６ｃｍ
（メイン緊締部２０における背側部分２０ｂの幅Ｗ２０ｂ及び脇側部分２０ｓの幅Ｗ２０ｓ、並びに肩部緊締部４０の幅Ｗ４０）
実施例１：約５ｃｍ
実施例２：両側に１ｃｍずつ広げて、約７ｃｍ
実施例３：両側から１ｃｍずつ狭めて、約３ｃｍ
【００５１】
本評価では、それぞれ、実施例１〜３を試着して歩行した後にフリーコメントを問うた。この評価結果によれば、４人中３人が、幅Ｗ２０ｂ＝Ｗ２０ｓ＝Ｗ４０＝５ｃｍにおいて、緊締力の前後のバランスが最もよく、背筋が伸びると共に、下腹部が引き締められると感じた。一方、幅Ｗ２０ｂ＝Ｗ２０ｓ＝Ｗ４０＝７ｃｍでは、４人とも緊締力の前後のバランスがよくないと感じた。その結果、背中の緊締力が強く、下腹部の緊締力が弱く感じ、下腹部の引き締めが不十分と感じた。また、幅Ｗ２０ｂ＝Ｗ２０ｓ＝Ｗ４０＝３ｃｍでは、４人中１人が最適と感じたが、３人は緊締力の前後のバランスがよくないと感じた。その結果、背中が頼りなく、背面からの姿勢改善サポートが感じられなかった。
【００５２】
以上より、メイン緊締部２０における背側部分２０ｂの幅Ｗ２０ｂは５ｃｍであることが最も好ましいことがわかった。また、メイン緊締部２０における背側部分２０ｂの幅Ｗ２０ｂを７ｃｍまで広げると、緊締力の前後のバランスが損なわれ、背側の緊締力が強過ぎ、下腹部の緊締力が弱く感じられ、バランスよく姿勢を改善することが難しいことがわかった。また、メイン緊締部２０における背側部分２０ｂの幅Ｗ２０ｂを３ｃｍまで狭めると、緊締力の前後のバランスが損なわれ、背側の緊締力が弱過ぎ、下腹部の緊締力が強く感じられ、バランスよく姿勢を改善することが難しいことがわかった。これより、メイン緊締部２０における背側部分２０ｂの幅Ｗ２０ｂは４ｃｍ〜６ｃｍ程度であることが好ましいと予想される。
【００５３】
しかしながら、比較的に背中が大きいと共に筋力が強い男性に対しては、メイン緊締部２０における背側部分２０ｂの幅Ｗ２０ｂを７ｃｍまで広げてもよいと予想されることから、男女兼用を考慮すると、メイン緊締部２０における背側部分２０ｂの幅Ｗ２０ｂは４ｃｍ〜７ｃｍ程度であってもよいことが予想される。
[実施例１]
【００５４】
次に、図１〜３に示す本発明の実施形態の姿勢改善サポート衣類１である上記実施例１と同等品を実施例４として製作し、女性モニタ１１名による評価を行った。この評価では、実施例４と従来品との対比評価を行った。
【００５５】
ここで、実施例４に対して対比を行った従来品は、出願人の商品であって、姿勢改善サポート衣類における主要な商品である。
【００５６】
本評価では、それぞれ、本発明の実施例と従来品とを対比して、どちらが優れていると感じたかを問うた。この評価結果によれば、１１名中１０名もの人が、従来品を着けた場合よりも姿勢がよくなったと感じた。その中でも、背筋が伸びたと感じた人が７名、お腹が引き締まったと感じた人が９名であった。
【００５７】
更に、１１名中１０名もの人が、従来品を着けた場合よりもきつさを感じないと答えた。また、１１人中９人もの人が、従来品を着けた場合よりも動き易いさを感じ、歩行時の姿勢がよくなったと感じた。そして、総合的に快適と感じた人が、１１人中８人もいた。
【００５８】
以上より、本発明の実施例４では、きつさ等の快適さを損なうことなく、姿勢改善をサポートできることがわかった。更に、歩行などの動作中でも、動き易いさを損なうことなく、安定して姿勢改善をサポートできることがわかった。これは、歩行などの動作中に上半身の上部及び下部の回旋の支点となり位置変動が小さい第７〜第９胸椎を支点としていることによるものと考えられる。
【符号の説明】
【００５９】
１，１Ａ，１Ｂ，１Ｃ…姿勢改善サポート衣類、１０…本体部、２０…メイン緊締部（緊締部）、２０ｆｃ…メイン緊締部の前側中央部分、２０ｆｓ…メイン緊締部の前側脇部分、２０ｓ…メイン緊締部の脇側部分、２０ｂ…メイン緊締部の背側部分、２５…第７〜第９胸椎５１〜５３における部分、２６…下腹部中央を通る部分、３０…腰部緊締部、３０ｆ…腰部緊締部の下腹部分、３０ｓ…腰部緊締部の脇側部分、３０ｂｓ腰部緊締部の腰側脇部分、３０ｂｃ…腰部緊締部の腰側中央部分、４０…肩部緊締部、５１〜５３…第７〜第９胸椎、６１〜６５…仮肋（第８〜第１２肋骨）、６４，６５…浮遊肋（第１１及び第１２肋骨）、７０…臍、７１…骨盤、７２…恥骨上端、７３…腸骨、７４…腸骨稜、７６…外唇側部、８１…肩甲骨、８２…肩甲棘、９１〜９９…脊柱起立筋群、９１〜９３…腸肋筋群、９１…頚腸肋筋、９２…胸腸肋筋、９３…腰腸肋筋、９４〜９６…最長筋群、９４…頭最長筋、９５…頚最長筋、９６…胸最長筋、９７〜９９…棘筋群、９７…頭棘筋、９８…頚棘筋、９９…胸棘筋、１０１〜１０３…腹筋群、１０１…外腹斜筋、１０２…内腹斜筋、１０３…腹横筋、１１１…腰椎、１１２…胸椎。
【図１】
2010261118.tif 000003
【図２】
2010261118.tif 000004
【図３】
2010261118.tif 000005
【図４】
2010261118.tif 000006
【図５】
2010261118.tif 000007
【図６】
2010261118.tif 000008
【図９】
2010261118.tif 000009
【図１０】
2010261118.tif 000010
【図１１】
2010261118.tif 000011
【図１２】
2010261118.tif 000012
【図７】
2010261118.tif 000013
【図８】
2010261118.tif 000014